(57)【要約】   本発明は岩盤破砕ツール用インパルス発生器に関するものであり、インパルス発生器（２）は、第一の加圧可能な流体ボリューム（６）を受けるメインチャンバ（４）と、流体ボリューム（６）の圧力エネルギーをツール（１０）で衝撃に変換するように構成されたメインチャンバで受ける衝撃ピストン（８）と、衝撃ピストン（８）のメインチャンバ（４）側に相対する側に配置された第二の加圧可能な流体ボリューム（１４）を受けるプレ加圧チャンバ（１２）とを備え、さらにインパルス発生器（２）は衝撃ピスト（８）のメインチャンバ（４）側に相対する側に配置された第三の加圧可能な流体ボリューム（１８）を受ける圧力解放チャンバ（１６）を備え、流体ボリューム（６、１４、１８）に加圧される圧力間の関係及びチャンバ（４、１２、１６）に面する衝撃ピストン（８）の領域間の関係は、少なくともプレ加圧チャンバ（１２）の加圧が衝撃ピストン（８）をメインチャンバ（４）に向かう方向に動かし、プレ加圧チャンバ（１２）が減圧されると、メインチャンバ（４）で加圧された圧力が圧力解放チャンバ（１６）における圧力を増加させ、圧力解放チャンバ（１６）における減圧率及びツール（１０）に送られる圧力インパルスの速度が高められるようにされる。また本発明はインパルス発生器を備える油圧式ツール及び岩盤破砕ツールにおけるインパルス発生方法にも関する。【選択図】図１
2008542588.tif 000002
【特許請求の範囲】
【請求項１】
インパルス発生器（２）が、第一の加圧可能な流体ボリューム（６）を受けるメインチャンバ（４）と、流体ボリューム（６）の圧力エネルギーをツール（１０）のインパルスに変換するように構成されたメインチャンバ（４）で受ける衝撃ピストン（８）と、衝撃ピストン（８）のメインチャンバ（４）側に相対する側に配置された第二の加圧可能な流体ボリューム（１４）を受けるプレ加圧チャンバ（１２）とを有する岩盤破砕ツール用のインパルス発生器において、
インパルス発生器（２）がさらに、衝撃ピストン（８）のメインチャンバ（４）側に相対する側に配置された第三の加圧可能な流体ボリューム（１８）を受ける圧力解放チャンバ（１６）を備え、
流体ボリューム（６、１４、１８）における加圧される圧力間の関係及びチャンバ（４、１２、１６）に面する衝撃ピストン（８）の領域間の関係は、少なくともプレ加圧チャンバ（１２）の加圧が衝撃ピストン（８）をメインチャンバ（４）に向かう方向に動かし、またプレ加圧チャンバ（１２）が減圧されるとき、メインチャンバ（４）における圧力が圧力解放チャンバ（１６）における圧力を増加させ、それによって圧力解放チャンバ（１６）における減圧率及びツール（１０）に送られる圧力インパルス速度が高められるようにされる
ことを特徴とするインパルス発生器。
【請求項２】
メインチャンバ（４）が、本質的に一定の圧力下にあることを特徴とする請求項１に記載のインパルス発生器。
【請求項３】
メインチャンバ（４）における本質的に一定の圧力が、インパルス発生器（２）の内側或いは外側の圧力源（５）によってもたらされることを特徴とする請求項２に記載のインパルス発生器。
【請求項４】
メインチャンバ（４）に向かう衝撃ピストン（８）の領域が、圧力解放チャンバ（１６）に向かう衝撃ピストン（８）の領域より大きいことを特徴とする請求項１〜請求項３の何れか一項に記載のインパルス発生器。
【請求項５】
圧力解放チャンバ（１６）の減圧過程が、制御装置（２０）により制御され得ることを特徴とする請求項１〜請求項４の何れか一項に記載のインパルス発生器。
【請求項６】
制御装置が、圧力解放チャンバ（１６）に接続された制御弁（２０）であることを 特徴とする請求項５に記載のインパルス発生器。
【請求項７】
制御弁（２０）が、圧力媒体（１８）を含む動作中圧力解放チャンバ（１６）における排出による上記減圧を制御するための少なくとも１つの開口部（２２）を備えていることを特徴とする請求項６に記載のインパルス発生器。
【請求項８】
上記制御手段が、制御弁（２０）の開口過程を制御することによって上記減圧を制御する手段を備えていることを特徴とする請求項７に記載のインパルス発生器。
【請求項９】
上記手段が、制御弁（２０）の開口部領域の制御部材を備えていることを特徴とする請求項８に記載のインパルス発生器。
【請求項１０】
制御弁（２０）が、上記減圧を制御する減圧用溝を設けていることを特徴とする請求項７〜請求項９の何れか一項に記載のインパルス発生器。
【請求項１１】
制御弁（２０）が、幾つかの開口部（２２）を備えていることを特徴とする請求項７〜請求項１０の何れか一項に記載のインパルス発生器。
【請求項１２】
圧力解放チャンバ（１６）が、幾つかの出口を備え、上記出口が操縦可能に開口され得、上記減圧が関連する出口の開閉によって制御され得ることを特徴とする請求項６に記載のインパルス発生器。
【請求項１３】
上記出口が、種々の外径を備えることを特徴とする請求項１２に記載のインパルス発生器。
【請求項１４】
上記出口が、１つ以上の流路を備える１つ或いは幾つかの容器（２４）に接続され、上記容器（２４）が動作中異なる圧力に加圧され得て、それによって圧力解放チャンバの段階的及び／又は連続的な減圧が、上記出口の開口によって得ることができることを特徴とする請求項１２又は請求項１３に記載のインパルス発生器。
【請求項１５】
上記流路の長さが調節可能であることを特徴とする請求項１４に記載のインパルス発生器。
【請求項１６】
上記制御装置が、圧力解放チャンバに接続されたスロットル弁への接続を制御することによって上記減圧を制御する手段を備えていることを特徴とする請求項５に記載のインパルス発生器。
【請求項１７】
メインチャンバ（４）が、円形の断面を備えていることを特徴とする請求項１〜請求項１６の何れか一項に記載のインパルス発生器。
【請求項１８】
メインチャンバ（４）、プレ加圧チャンバ（１２）及び圧力解放チャンバ（１６）が、流体ボリュームについて次のグループ：水、シリコンオイル、油圧オイル、鉱油、不燃性油圧オイル：のうちから１つの流体を受けるようされていることを特徴とする請求項１〜請求項１７の何れか一項に記載のインパルス発生器。
【請求項１９】
上記請求項の何れか一項に記載のインパルス発生器（２）を備えることを特徴とする油圧式衝撃ツール。
【請求項２０】
第一の加圧可能な流体ボリューム（６）を受けるメインチャンバ（４）と、流体ボリューム（６）の圧力エネルギーをツール（１０）の衝撃に変換するように構成されたメインチャンバ（４）で受ける衝撃ピストン（８）と、さらに衝撃ピストン（８）のメインチャンバ（４）側に相対する側に配置された第二の加圧可能な流体ボリューム（１４）を受けるプレ加圧チャンバ（１２）と、衝撃ピストン（８）のメインチャンバ（４）側に相対する側に配置された第三の加圧可能な流体ボリューム（１８）を受ける圧力解放チャンバ（１６）とを有する岩盤破砕ツールにおけるインパルスの発生方法において、
衝撃ピストン（８）がメインチャンバ（４）に向かう方向に動かすように、プレ加圧チャンバ（１２）を加圧するステップと、
圧力解放チャンバ（１６）を加圧するステップと、
次いで、プレ加圧チャンバ（１２）を減圧することによってメインチャンバ（４）における圧力が衝撃ピストン（８）に作用し、それによって圧力解放チャンバ（１６）の圧力をさらに増加させるステップと、
次いで、圧力解放チャンバ（１６）を減圧することによって圧力インパルスをツール（１０）に送るステップと、
を含むことを特徴とする方法。
【請求項２１】
第一の加圧可能な流体ボリューム（６）を受けるメインチャンバ（４）と、流体ボリューム（６）の圧力エネルギーをツール（１０）の衝撃に変換するように構成されたメインチャンバ（４）で受ける衝撃ピストン（８）と、衝撃ピストン（８）のメインチャンバ（４）側に相対する側に配置された第二の加圧可能な流体ボリューム（１４）を受けるプレ加圧チャンバ（１２）と、衝撃ピストン（８）のメインチャンバ（４）側に相対する側に配置された第三の加圧可能な流体ボリューム（１８）を受ける圧力解放チャンバ（１６）と有し、メインチャンバ（４）に向かう衝撃ピストン（８）の領域が、プレ加圧チャンバ（１２）及び圧力解放チャンバ（１６）に向かう衝撃ピストン（８）の領域の和より小さく、しかも、圧力解放チャンバ（１６）に向かう衝撃ピストン（８）の領域より大きい岩盤破砕ツールにおけるインパルスの発生方法において、
衝撃ピストン（８）がメインチャンバ（４）に向かう方向に動かす結果をもたらす同一圧力でメインチャンバ（４）、プレ加圧チャンバ（１２）及び圧力解放チャンバ（１６）を加圧するステップと、
次いで、プレ加圧チャンバ（１２）を減圧することによってメインチャンバ（４）における圧力が衝撃ピストン（８）に作用し、それよって圧力解放チャンバ（１６）の圧力をさらに増加させるステップと、
次いで、圧力解放チャンバ（１６）を減圧することによって圧力インパルスをツール（１０）に送るステップと、
を含むことを特徴とする方法。
【請求項２２】
さらに上記圧力解放チャンバ（１６）における減圧過程を制御するステップを含むことを特徴とする請求項２０或いは２１に記載の方法。  
【発明の詳細な説明】
【技術分野】
【０００１】
本発明は、岩盤破砕ツール用のインパルス発生器及びインパルス発生器でインパルスを発生する方法に関するものである。
【背景技術】
【０００２】
従来の岩盤破砕ツールでは、シリンダー内において空気圧或いは油圧によって前後に動くピストンが使用され、ピストンは直接的に或いは例えば穿孔鋼軸を介して間接的に穿孔鋼体の端部を押して岩盤を打撃する。比較的大きな容積をもち、素早く穿孔鋼体に向かって動く該ピストンによって、岩盤から穿孔鋼体を引き離そうとする穿孔装置に望ましくない動的加速力が生じる。
【０００３】
上記の動的加速力を減少させるために、幾多の取り組みが、従来の岩盤破砕ツールと違って、衝撃力の変換中にシリンダー内で前後に動かずしかも衝撃振動数を高める可能性をもたらすピストンを備える岩盤破砕ツールにおいてなされてきた。
【０００４】
英国特許ＧＢ２０４７７９４Ａには、ピストンがピストンのツール側で圧力流体空間を加圧することによってプレテンションされる岩盤破砕ツールが開示されており、ピストンは、圧力が穿孔鋼体側に相対するピストンの側のエネルギー蓄積空間に作られると同時に、穿孔鋼体から離れる方向に動かされる。このように圧力流体空間を減圧することによって、ピストンは解放され、エネルギー蓄積空間における圧力は穿孔鋼体に向かってピストンを押し、それにより応力パルスが穿孔鋼体を打撃する。
【０００５】
国際公開ＷＯ０３／０９５１５３Ａ１には、ピストンがピストンのツール側の圧力流体空間を加圧することによってプレテンションされる別の岩盤破砕ツールが開示されており、ピストンは、圧力が穿孔鋼体側に相対するピストンの側のエネルギー蓄積空間に作られると同時に、穿孔鋼体から離れる方向に動かされる。このように圧力流体空間を減圧することによって、ピストンは解放され、エネルギー蓄積空間における圧力は穿孔鋼体に向かってピストンを押し、それにより応力パルスが穿孔鋼体を打撃する。
【発明の開示】
【課題を解決するための手段】
【０００６】
本発明によれば、大きな動的加速力が起こる問題点は、岩盤破砕ツールにインパルス発生器を設けることで解決される。このインパルス発生器は、第一の加圧可能な流体ボリュームを受けるメインチャンバと、流体ボリュームの圧力エネルギーをツールのインパルスに変換するように構成されたメインチャンバで受ける衝撃ピストンと、衝撃ピストンのメインチャンバ側に相対する側に配置された第二の加圧可能な流体ボリュームを受けるプレ加圧チャンバとを備え、さらにインパルス発生器は、衝撃ピストンのメインチャンバ側に相対する側に配置された第三の加圧可能な流体ボリュームを受ける圧力解放チャンバを備え、流体ボリュームにおける加圧される圧力間の関係及びチャンバに面する衝撃ピストンの領域間の関係は、少なくともプレ加圧チャンバの加圧が衝撃ピストンをメインチャンバに向かう方向に動かし、プレ加圧チャンバが減圧されるとき、メインチャンバにおける加圧された圧力が圧力解放チャンバにおける圧力の増加をもたらし、圧力解放チャンバにおける減圧率及びツールに送られる圧力インパルスの速度が高められるようにされる。
【発明の効果】
【０００７】
インパルス発生器が請求項１に記載の特徴を備えることによって、圧力解放チャンバで得られる圧力が最初にそこに送られた圧力より高く、それによって圧力解放チャンバの迅速な排出を達成するインパルス発生器をもたらすという利点が得られる。
【発明を実施するための最良の形態】
【０００８】
本発明は、添付図面を参照して以下にさらに詳細に説明される。
【０００９】
図１には、加圧されたプレ加圧チャンバ１２を備えるインパルス発生器２の実施形態を概略縦断面図で示している。インパルス発生器２は、第一の加圧可能な流体ボリューム６を受けるメインチャンバ４を備えるハウジング１と、流体ボリューム６の圧力エネルギーをツール１０のインパルスに変換するように構成されたメインチャンバ４で受ける衝撃ピストン８と、衝撃ピストン８のメインチャンバ４側に相対する側に配置された第二の加圧可能な流体ボリューム１４を受けるプレ加圧チャンバ１２とを備え、さらにインパルス発生器２は、衝撃ピストン８のメインチャンバ４側に相対する側に配置された第三の加圧可能な流体ボリューム１８を受ける圧力解放チャンバ１６を備えている。好ましくは、メインチャンバ４は一定の圧力下にあり、かかる圧力は圧力源５、例えば一定の圧力を維持するように制御されるポンプを設けることによって生じられる。
【００１０】
プレ加圧チャンバ１２及び圧力解放チャンバ１６の加圧は、好ましくは圧力源１７に接続される例えば充填弁１５を介して行われ、圧力源１７は好ましくは、チャンネルを介して圧力源５に接続される。かかる圧力源１７は任意ではあるが圧力源５と同一の圧力源であってもよい。
【００１１】
以下にさらに詳細に説明するようにプレ加圧チャンバ１２が減圧されると、圧力解放チャンバ１６の圧力は高められ、その後、圧力解放チャンバ１６が減圧されると、圧力インパルスはツール１０に送られる。流体ボリューム６、１４、１８における加圧される圧力間の関係及びチャンバ４、１２、１６に面する衝撃ピストン８の領域間の関係は、少なくともプレ加圧チャンバ１２の加圧が衝撃ピストン８をメインチャンバ４に向かう方向に動かし、プレ加圧チャンバ１２が減圧されると、メインチャンバ４における加圧された圧力が圧力解放チャンバ１６における圧力の増加をもたらし、圧力解放チャンバ１６における減圧率及びツール１０に送られる圧力インパルスの速度を高めるようにされている。好ましくは、圧力解放チャンバ１６のボリュームはプレ加圧チャンバ１２のボリュームより小さい。メインチャンバ４に向かう衝撃ピストン８の領域は、圧力解放チャンバ１６に向かう衝撃ピストン８の領域より大きく、そのために圧力解放チャンバ１６における圧力は、均衡状態でメインチャンバ４における圧力よりも高くなる。
【００１２】
このように、それぞれメインチャンバ４及び圧力解放チャンバ１６に向かう衝撃ピストン８の領域間の関係を通して、メインチャンバ４におけるより低い圧力が、圧力解放チャンバ１６におけるより高い圧力に変換されるという利点が得られる。これによって、圧力解放チャンバ１６は、圧力解放チャンバにおける圧力がメインチャンバにおけるのと同じであった場合よりも、より迅速に排出され得ることになる。圧力解放チャンバ１６の減圧過程は好ましくは制御装置２０で制御されてもよく、好ましくは、制御装置２０は圧力解放チャンバ１６に接続された制御弁である。好ましくは、制御弁２０は圧力媒体１８を包含する動作中に、圧力解放チャンバ１６における排出による上記減圧を制御するための少なくとも１つの開口部２２を備えている。好ましくは、メインチャンバ４、プレ加圧チャンバ１２及び圧力解放チャンバ１６は、流体ボリュームにおいて好ましくは次のグループ：水、シリコンオイル、油圧オイル、鉱油、不燃性油圧オイル：のうちから１つの流体を受けるようにされる。
【００１３】
図２には、図１によるインパルス発生器２を、プレ加圧チャンバ１２を減圧した状態において概略縦断面図で示している。
【００１４】
図３は、図１によるインパルス発生器２を、圧力解放チャンバ１６を減圧した状態において概略縦断面図で示している。
【００１５】
第一の加圧可能な流体ボリューム６を受けるメインチャンバ４と、流体ボリューム６の圧力エネルギーをツール１０の衝撃に変換するように構成されたメインチャンバで受ける衝撃ピストン８と、さらに衝撃ピストン８のメインチャンバ４側に相対する側に配置された第二の加圧可能な流体ボリューム１４を受けるプレ加圧チャンバ１２と、衝撃ピストン８のメインチャンバ４側に相対する側に配置された第三の加圧可能な流体ボリューム１８を受ける圧力解放チャンバ１６とを備え、好ましくは、メインチャンバ４が上述のように本質的に一定の圧力で加圧されるインパルス発生器２を備える岩盤破砕ツールにおけるインパルスの発生の方法の実施形態は、以下のステップを含んでいる：
プレ加圧チャンバ１２を加圧し、図１において見ることができるものに従って、衝撃ピストン８をメインチャンバ４に向かう方向に動かすステップ、；
好ましくはメインチャンバ４に存在する圧力と同じ圧力で圧力解放チャンバ１６を加圧し、それによって、衝撃ピストン８を図１で示された位置に位置させるステップ；
次いで、プレ加圧チャンバ１２を減圧し、それにより、メインチャンバ４における圧力を衝撃ピストン８に作用させ、それで、図２に示されているものに従って、メインチャンバ４と圧力解放チャンバ１６の間で力の均衡が成り立つまで、衝撃ピストン８を圧力解放チャンバ１６に向かう方向に動かすことによって、圧力解放チャンバ１６の圧力はさらに増加させるようにするステップ；
次いで、圧力解放チャンバ１６を減圧し、図３において示されているものに従って、圧力インパルスをツール１０に送るステップ。
【００１６】
メインチャンバ４に向かう衝撃ピストン８の領域が、プレ加圧チャンバ１２及び圧力解放チャンバ１６に向かう衝撃ピストン８の領域の和より小さく、しかも、圧力解放チャンバ１６に向かう衝撃ピストン８の領域より大きい上述の形態の岩盤破砕ツールにおけるインパルスを発生する方法のさらなる実施形態は、以下のステップを含んでいる：
同一圧力すなわち圧力源５で提供される圧力でメインチャンバ４、プレ加圧チャンバ１２及び圧力解放チャンバ１６を加圧し、それによって、図１において見ることができるものに従って、衝撃ピストン８をメインチャンバ４に向かう方向に動かすステップ；
次いで、プレ加圧チャンバ１２を減圧し、図２において示されているものに従って、メインチャンバ４における圧力を衝撃ピストン８に作用させ、メインチャンバ４と圧力解放チャンバ１６の間で力の均衡が成り立つまで、衝撃ピストン８を圧力解放チャンバ１６に向かう方向に動かし、圧力解放チャンバ１６の圧力をさらに増加させるステップ；
次いで、 圧力解放チャンバ１６を減圧し、図３で示されているように、圧力インパルスをツール１０に送るステップ。
【００１７】
上記の圧力解放チャンバ１６における減圧過程は、さらに好ましくは、制御装置２０により制御されてもよい。制御装置は、好ましくは圧力解放チャンバ１６に接続された制御弁２０である。また上記の制御装置は、圧力解放チャンバに接続されたスロットル弁への接続を制御することによって上記減圧を制御する手段を備えてもよい。制御弁は、圧力媒体１８を含んだ作業中、圧力解放チャンバ１６における排出によって上記減圧を制御するための少なくとも１つの開口部２２を備えてもよい。上記の制御装置は、制御弁２０の開口過程を制御することによる上記減圧を制御するための手段を備えてもよく、かかる手段は好ましくは、制御バルブの開口領域の制御部材を備えている。制御弁２０は、上記減圧を制御するための減圧用の溝を設けてもよく、また幾つかの開口部を備えてもよい。上記圧力解放チャンバ１６は、幾つかの出口を備えてもよく、上記出口は操縦可能に開口され得て、上記減圧は関連する出口の開閉によって制御され得る。上記出口は種々の外径を備えてもよい。上記出口は１つ以上の流路を有する１つ或いは幾つかの容器２４に接続されてもよく、上記容器は作業中、異なる圧力で加圧され得て、圧力解放チャンバにおける段階的及び／又は連続的な減圧は、上記出口の開口によって得ることが可能である。また、上記流路の長さは調節可能であり得る。
【００１８】
本発明はまた、上述の通りインパルス発生器を備える油圧式衝撃ツールにも関するものである。特許請求の範囲内において、ここに説明された種々の任意の実施形態を組み合わせることも可能である。
【図面の簡単な説明】
【００１９】
【図１】加圧されたプレ加圧チャンバを備えるインパルス発生器の実施形態を示す概略縦断面図。
【図２】図１によるインパルス発生器を、プレ加圧チャンバを減圧した状態において示す概略縦断面図。
【図３】図１によるインパルス発生器を、圧力解放チャンバ１を減圧した状態において示す概略縦断面図。
【図１】
2008542588.tif 000003
【図２】
2008542588.tif 000004
【図３】
2008542588.tif 000005
【国際調査報告】
2008542588.tif 000006
2008542588.tif 000007
2008542588.tif 000008